(57)【要約】【課題】  災害発生時に、避難場所の避難者に、速やかに、電力、温水、煮炊き用の燃料ガス等の供給を可能とする。【解決手段】  均圧弁１０２が付設された、液化ガスを貯蔵するバルク貯槽ユニット１００と、複数のヒューズガス栓２０３を備えたヘッダ管２０２を搭載し、このヘッダ管２０２と前記バルク貯槽ユニット１００の大口ガス取出し口１０９を接続するヘッダガスホース２０４を備えた移動式の分岐ユニット２００と、浄水器４０８および液化ガスを燃料とする発電機４０１が搭載された移動式の発電・浄水ユニット４００と、液化ガスを燃料とする給湯器３０２を備えた移動式の給湯ユニット３００と、液化ガスを燃料とするガスストーブ５０１を備えた移動式の暖房ユニット５００と、を含んで構成される災害対応型液化ガス供給システムを、予定される避難場所に配置する。【選択図】        図１
2007078121.tif 000002
【特許請求の範囲】
【請求項１】
液化ガスを貯蔵した液化ガス容器と、該液化ガス容器の気相部に連通されたガス管路と、該ガス管路に接続された調整器と、該調整器の下流側に通常使用されるガス消費機器へのガス供給を行う配管が接続され、該配管に、災害時にガスを取り出すことのできる分岐配管が接続され、該分岐配管に遮断弁を備えたことを特徴とする災害対応型液化ガス供給システム。
【請求項２】
請求項１に記載の災害対応型液化ガス供給システムにおいて、前記液化ガス容器の気相部に連通する均圧弁を更に備えたことを特徴とする災害対応型液化ガス供給システム。
【請求項３】
請求項１又は２に記載の災害対応型液化ガス供給システムにおいて、前記分岐配管の遮断弁出側にホースを介して接続可能に構成された移動式の分岐ユニットと、浄水器および液化ガスを燃料とする発電機が搭載された移動式の発電・浄水ユニットと、液化ガスを燃料とする給湯器を備えた移動式の給湯ユニットと、液化ガスを燃料とする暖房機具を備えた移動式の暖房ユニットの何れかの構成を備えたことを特徴とする災害対応型液化ガス供給システム。
【請求項４】
請求項３に記載の災害対応型液化ガス供給システムにおいて、前記分岐ユニットは、複数の小口ガス取出し口を備えたヘッダを搭載し、このヘッダと前記液化ガス容器の遮断弁出側を接続するヘッダガスホースと、ガスコンロと、ガスコンロと小口ガス取出し口を接続するガスホースおよびそれを巻き込む固定式ガスホース巻き取り器と、前記暖房機具と小口ガス取出し口を接続する暖房機用ガスホースおよびそれを巻き込むガスホース巻き取り器と、ヘッダガスホースを巻き込む固定式ヘッダガスホース巻き取り器を含んで構成され、前記発電・浄水ユニットは、前記均圧弁と発電機を発電機用圧力調整器を介して接続する発電機用ガス燃料ホースおよびそれを巻き込む固定式ガスホース巻き取り器と、前記浄水器と災害時の水源を接続する原水用ホースおよびそれを巻き込む固定式ホースリールと、発生した電力を供給する電線およびそれを巻き込むコードリールとを含んで構成され、前記給湯ユニットは、給湯器と前記分岐ユニットの小口ガス取出し口を接続する給湯器用ガスホースおよびそれを巻き込む固定式ガスホース巻き取り器と、給湯器と災害時の水源を接続する水ホースおよびそれを巻き込む固定式ホースリールと、固定式ホースリールと給湯器の間に配置されて水ホースで供給される水を加圧して給湯器に送り込む給湯加圧ポンプを含んで構成されていることを特徴とする災害対応型液化ガス供給システム。
【請求項５】
請求項３又は４に記載の災害対応型液化ガス供給システムにおいて、災害時の水源として、雨水を貯溜する雨水貯溜タンクが含まれていることを特徴とする災害対応型液化ガス供給システム。
【請求項６】
請求項３乃至５のいずれかに記載の災害対応型液化ガス供給システムにおいて、ガス燃焼式トイレを含んで構成され、前記発電・浄水ユニットは、ガス燃焼式トイレに電力を供給する電線およびそれを巻き込むコードリールを備え、前記配管と前記ガス燃焼式トイレを、止め弁を介して接続する配管が設けられていることを特徴とする災害対応型液化ガス供給システム。
【請求項７】
請求項４乃至６のいずれかに記載の災害対応型液化ガス供給システムにおいて、前記巻き取り器もしくはホースリールに巻き込まれるガスホースおよび水ホースの、少なくとも、引き出し側の端部には、接続相手側の接続口に迅速に結合できる接続具が取り付けられていることを特徴とする災害対応型液化ガス供給システム。
【請求項８】
請求項３乃至７のいずれかに記載の災害対応型液化ガス供給システムにおいて、前記分岐ユニットと、給湯ユニットと、発電・浄水ユニットは、それぞれ、全体を覆うカバーを備えていることを特徴とする災害対応型液化ガス供給システム。
【請求項９】
請求項１乃至８のいずれかに記載の災害対応型液化ガス供給システムにおいて、前記調整器の下流側でかつ分岐配管が分岐している位置よりも上流側の配管に、ガス流量を計測するガスメータが設けられていることを特徴とする災害対応型液化ガス供給システム。
【発明の詳細な説明】
【技術分野】
【０００１】
本発明は、ガス供給システムに係り、特に、災害発生時の避難所等における需要に緊急に対応するのに好適な災害対応型液化ガス供給システムに関する。
【背景技術】
【０００２】
地震等の災害時に、緊急に水、エネルギーを需要者に供給するシステムがいくつか提案されている。例えば、特許文献１には、燃料電池等を用いたコージェネレーションシステムにおいて、災害時に、備蓄しておいたＬＰガス等の液化ガスを自動切換えにより供給して燃料電池等を継続して運転させ、その電力を、安全な水を供給できる災害用設備及び造水装置に提供する方法が示されている。また、特許文献２には、需要者それぞれに燃料用ガスを供給する導管の個別需要家用逆止弁と個別需要家用計量緊急遮断器の間に分岐配管を設け、この分岐配管に、燃料用ガスを吸蔵・離脱できるガス吸蔵容器を、圧力制御弁を介して接続する例が示されている。
【０００３】
【特許文献１】特開２００１−２５９６１３号公報（第３，４頁、図１）
【特許文献２】特開平１０−２９９９９５号公報（第２頁、図１）
【特許文献３】特開２０００−２９１８９０号公報（第２，３頁、図２）
【発明の開示】
【発明が解決しようとする課題】
【０００４】
地震等の災害時など、既設のガス導管網による燃料用ガスの供給が停止した場合や、ガス導管が設置されていない場所に緊急に燃料用ガスの供給が要請される場合は、ガス事業者等により、ＬＰＧ（液化石油ガス、以下適宜液化ガスと称する。）の５０ｋｇ容器を運び、仮設することで、煮炊きを行なうことは可能であった。しかし、給湯器を設置して給湯できるようになるまでにはしばらく時間がかかるため、緊急対策としても十分ではなかった。また、小規模な対応しかできず、一時凌ぎの対応に終わっていた。
【０００５】
災害時対応としては、緊急時避難場所等に、被災者のための煮炊きを可能とするだけでは不十分で、温水、電力も併せて供給可能とするのが望ましいが、それらを供給するための緊急対応可能な設備は常備されていないのが実状である。
【０００６】
特許文献１の技術は、既設のコージェネレーションシステムを使用して電力、水を供給するものであり、そのようなコージェネレーションシステムが設置されている地域に限定されるという限界があった。また、特許文献２の技術は、個別の需要家への燃料用ガスの供給を考慮したものであり、災害時に避難場所等、特定の箇所に集合した人々へ緊急に燃料ガスを供給するには、適していなかった。さらに、災害時には、燃料用ガスの供給だけでなく、温水の供給も要請されるが、温水の供給設備については考慮されていなかった。
【０００７】
本発明の課題は、地震、台風などの災害発生時に、避難場所等に集合した被災者、避難者に、速やかに、電力、熱などのエネルギーや温水を供給できるようにすることにある。
【課題を解決するための手段】
【０００８】
上記課題を解決するため、本発明の災害対応型液化ガス供給システムは、液化ガスを貯蔵した液化ガス容器と、該液化ガス容器の気相部に連通されたガス管路と、該ガス管路に接続された調整器と、該調整器の下流側に通常使用されるガス消費機器へのガス供給を行う配管が接続され、該配管に、災害時にガスを取り出すことのできる分岐配管が接続され、該分岐配管に遮断弁を備えたことを特徴とする。
【０００９】
このような構成の災害対応型液化ガス供給システムを設けておくことにより、災害で電力や都市ガス、水道などのいわゆるライフラインが遮断された場合でも、液化ガス容器に貯蔵・収容されている液化ガスを直ちに利用できるので、被災者、避難者への電力、熱の速やかな供給が可能となる。
【００１０】
前記液化ガス容器には、その気相部に連通する均圧弁を備えることが望ましい。液化ガス容器の気相部に連通する均圧弁を備えることにより、通常の燃焼用に減圧する前の液化ガスを取り出すころが可能になり、液化ガスを用いるエンジンに適した圧力に減圧して発電機を駆動することができる。
【００１１】
さらに、災害対応型液化ガス供給システムを、前記分岐配管の遮断弁出側にホースを介して接続可能に構成された移動式の分岐ユニットと、前記浄水器および液化ガスを燃料とする発電機が搭載された移動式の発電・浄水ユニットと、液化ガスを燃料とする給湯器を備えた移動式の給湯ユニットと、液化ガスを燃料とする暖房機具を備えた移動式の暖房ユニットの何れかの構成を備えたものとしてもよい。
【００１２】
前記分岐ユニットは、前記複数の小口ガス取出し口を備えたヘッダと、このヘッダと前記液化ガス容器の分岐配管の遮断弁出側を接続するヘッダガスホースと、前記ヘッダガスホースを巻き取る固定式ヘッダガスホース巻き取り器と、ガスコンロおよびガスコンロと前記小口ガス取出し口を接続するガスホースと、前記ガスホースを巻き取る固定式ガスホース巻き取り器と、暖房器具と前記小口ガス取出し口を接続する暖房器用ガスホースおよび暖房器用ガスホースを巻き取るガスホース巻き取り器を含んで構成され、これらが搭載される架台には移動用の車輪が設けられるのが望ましい。また、全体を覆うカバーを設け、カバー上面に取手を設けておく。
【００１３】
前記発電・浄水ユニットは、前記発電機と、液化ガス容器の気相部に連通する均圧弁と発電機を圧力調整手段を介して接続する発電機用ガス燃料ホースと、この発電機用ガス燃料ホースを巻き取る固定式ガスホース巻き取り器と、末端にコネクタを備えた電線と、この電線を巻き取るコードリールと、発電機の出力側に接続されたコンセントと、前記浄水器と、水源と浄水器を接続する原水用ホースと、この原水用ホースを巻き取る固定式ホースリールと、前記浄水器に供給される原水を加圧する原水加圧手段と、それらが搭載される移動式の架台と、投光器とを含んで構成される。架台には移動用の車輪が設けられるのが望ましい。投光器は、固定式で本ユニットの照明用のものと、単体で格納され、必要な場所に設置して使用されるものの双方がある。前記コードリールは、単体で用意されている投光器や、給湯ユニット、ガス燃焼式トイレ、雨水貯溜タンクへ給電するのに用いる。
【００１４】
前記給湯ユニットは、前記給湯器と、給湯器と液化ガス容器のガス取出し口を接続する給湯器用ガスホースと、給湯器用ガスホースを巻き取る固定式ガスホース巻き取り器と、水源と給湯器を給水加圧手段を介して接続する水ホースと、この水ホースを巻き取る固定式ホースリールと、前記給湯器に接続された給湯蛇口およびシャワーヘッドと、外部電源が接続されるコネクタと、ユニット全体を覆うカバーと、を含んで構成される。これら構成部品が搭載される架台には、移動用の車輪を設けることが望ましい。
【００１５】
前記暖房ユニットは、前記移動式暖房器具を備え、前記分岐ユニットに備えられたガスホース巻き取り器の暖房器用ガスホースで分岐ユニットに接続される。
【００１６】
本発明の災害対応型液化ガス供給システムの液化ガス容器は、通常のガス消費機器にガスを供給するものとして、災害時に被災者の避難所となるような施設固定設置されている。そして、液化ガス容器の気相部に連通されたガス管路に、災害時に被災者の避難所となるような施設の熱源、動力源として用いるための、予備の緊急時用の大口ガス取出し口を設けることを特徴とする。また、前記分岐ユニット、発電・浄水ユニット、給湯ユニット、暖房ユニットを当該避難所等の施設に非常用として保管しておけばよい。
【００１７】
このようにすれば、災害時に被災者が避難所に集合、避難した際、当該避難所となっている施設に保管されている分岐ユニットを取り出して設置し、当該避難所となっている施設に常設された液化ガス容器の大口ガス取出し口に、分岐ユニットに格納されているヘッダガスホースで分岐ユニットを接続すれば、直ちに、燃料用の液化ガスを供給することができる。
【００１８】
また、液化ガスを熱源とする給湯器を移動式の架台に搭載し、給水加圧手段と、水ホースと、給湯器用ガスホースを備えてなる給湯ユニットを、前記液化ガス容器が設置された施設に非常用として保管しておくことにより、避難者が集まった時点で速やかに、給湯を開始できる。給水加圧手段が給湯ユニットに組み込まれているから、給水源として給水の水圧がない仮設の水タンクを用いる場合にも対応できる。
【００１９】
さらに、液化ガスを燃料とするエンジンで駆動される発電機と、発電機と前記液化ガス容器の均圧弁を発電機用圧力調整器を介して接続する発電機ガス燃料ホースと、給湯器や照明器具に給電する電線を巻き込んだコードリールをまとめて移動式のユニットを構成しておけば、避難所への送電が停止していても、少なくとも照明や給湯のための電力が確保される。このユニットに浄水器や、水源と浄水器を接続する原水用ホースを併せて搭載しておいてもよい。
【００２０】
なお、前記液化ガス容器は、液化ガスをバルクで貯蔵するものであれば、充填可能量が３００ｋｇ未満で移動可能に構成したものでもよい。この場合、調整器、ガスメータ等の付属機器はプロテクタに内蔵して、機器へのいたずら防止と落下物による機器への直接的影響を回避するようにしておくのが望ましい。
【発明の効果】
【００２１】
本発明によれば、地震、台風などの災害発生時に、避難場所等に集合した被災者、避難者に、速やかに、電力、飲用水、温水、暖房用熱を供給できるとともに、煮炊きを可能にできる。
【発明を実施するための最良の形態】
【００２２】
以下、図面を参照して本発明に係る災害対応型液化ガス供給システムの実施の形態を説明する。図１は、本実施の形態に係る災害対応型液化ガス供給システムが、使用状態に配置され、ガスホースや水ホース、電線が接続される状態を示している。図示の災害対応型液化ガス供給システムは、液化ガスを貯蔵する液化ガス容器を含むバルク貯槽ユニット１００と、ヘッダガスホース２０４でバルク貯槽ユニット１００に接続される分岐ユニット２００と、給湯器用ガスホース３０３でバルク貯槽ユニット１００に接続される給湯ユニット３００と、発電機ガス燃料ホース４０２で発電機用圧力調整器４０３を介してバルク貯槽ユニット１００の均圧弁１０２に接続される発電・浄水ユニット４００と、暖房機用ガスホース２０６で分岐ユニット２００に接続される暖房ユニット５００と、雨水貯留タンク６００と、ガス燃焼式トイレ７００と、発電・浄水ユニット４００、暖房ユニット５００、給湯ユニット３００を収容する仮設テント８００と、を含んで構成されている。
【００２３】
バルク貯槽ユニット１００は、３００ｋｇ型液化ガス容器（以下、バルク貯槽という）１０１、調整器及び配管１１０、分岐配管１０３を含んで構成され、緊急避難場所に指定された公共の施設（以下、設置施設という）に液化ガスを供給するために設置されているもので、コンクリート基礎上に配置固定されている。公共の施設でなくても、通常時、液化ガスを使用している施設であれば、民間の施設であってもよく、そこに液化ガスを供給するために設置されているものを利用すればよい。いずれにしても、バルク貯槽ユニット１００はコンクリート基礎上に配置固定されている。
【００２４】
バルク貯槽１０１の上面を貫通してガス管路（以下、液化ガス取出し管路という）１０４が接続され、この液化ガス取出し管路１０４の一端はバルク貯槽１０１の気相部に連通し、他端は調整器１０５に接続されている。調整器１０５の出側には配管１１０が接続されており、遮断弁１０６、配管接続口１０７を経て、設置施設で平常時に使用される冷暖房設備や炊事設備等のガス消費機器に液化ガスを供給するようになっている。調整器１０５下流側、かつ遮断弁１０６上流側の配管１１０に分岐して分岐配管１０３が設けられ、遮断弁１０８を経て大口ガス取出し口１０９に接続されている。大口ガス取出し口１０９には、災害時に、ヘッダガスホース２０４を介して分岐ユニット２００が、給湯器用ガスホース３０３を介して給湯器が、それぞれ接続される。
【００２５】
従来、ガスメータは、公民館、集会所等の軒下に設置されて、公民館、集会所等で通常時に使用されるガス量のみを計測するようになっており、災害時に使用したガス量を計測することは考慮されていなかった。災害時にのみ使用されるガスメータをバルク貯槽１０１のプロテクタ内に設置することも考えられるが、まれにしか使用しないガスメータを常時設置するのは経済的ではない。本実施の形態では、調整器１０５の下流側、かつ分岐配管１０３の分岐位置の上流側になる位置で配管１１０に、ガスメータ１１１が介装され、通常時は配管１１０に供給される液化ガス量が計測され、災害時に遮断弁１０８が開かれた場合は、分岐配管を経て供給される液化ガス量と配管１１０に供給される液化ガス量の合計量を計測するようになっている。
【００２６】
バルク貯槽１０１の上面にはまた、バルク貯槽１０１に液化ガスを取り込む液取入れ弁が設けられ、この液取入れ弁には、バルク貯槽１０１の気相部に連通する均圧弁１０２が付設されている。均圧弁については、特許文献３に記載されているので説明を省略する。前記均圧弁１０２にはホース接手が結合されており、前記発電機用ガス燃料ホース４０２が結合可能になっている。液化ガスを燃料とするエンジンで駆動される液化ガス燃焼式発電機に中圧の液化ガスを供給するために、通常は、液化ガスを搬送するタンクローリーからの液化ガスの充填時に、バルク貯槽１０１とタンクローリーの槽内圧力の圧力を均衡させるために用いられる均圧弁１０２を、液化ガス燃焼式発電機に中圧の液化ガスを供給するために利用するので、中圧のガスに減圧した液化ガス供給配管を新たに設ける必要がない。
【００２７】
以下、各ユニットの内容について説明するが、図２〜図７は、配置構成の例を示すもので、図１に示す配置とは一部異なっている。
【００２８】
分岐ユニット２００は、図２、図３に示すように、架台２０１と、架台２０１に、架台２０１が平らな面におかれたときに水平になる姿勢で取り付けられ、一方の端部が閉止されたヘッダ管２０２と、ヘッダ管２０２に上方に互いに平行に分岐し、それぞれ止め弁が介装された複数（本実施の形態では４本）の取出し分岐管と、取出し分岐管それぞれの末端に装着された小口ガス取出し口であるヒューズガス栓２０３と、ヘッダ管２０２の他方の端部に装着されたボールバルブ（図示せず）と、このボールバルブに結合されたガス取入れ用接続口（図示せず）と、前記ヘッダガスホース２０４とこのヘッダガスホース２０４を巻き取る固定式ヘッダガスホース巻き取り器２０５と、２基のガスコンロ２０８およびガスコンロ２０８と前記ヒューズガス栓２０３を接続するガスホース２０９と、前記ガスホース２０９を巻き取る固定式ガスホース巻き取り器２１０と、暖房器具と前記ヒューズガス栓２０３を接続する暖房器用ガスホース２０６および暖房器用ガスホース２０６を巻き取るガスホース巻き取り器２０７と、を含んで構成されている。これらはすべて移動式の架台２０１に搭載されており、この架台２０１に設けられた移動用の車輪（キャスター）２１１は固定装置付きとしてある。また、全体を覆う樹脂製カバー２１２が設けられ、カバー上面に取手２１３を設けてある。なお、このカバーは、用心のため、取り外し防止の施錠装置がつけられている。前記ガス取入れ用接続口は、前記固定式ヘッダガスホース巻き取り器２０５を介してヘッダガスホース２０４に接続されており、ヘッダガスホース２０４の他端には、バルク貯槽ユニット１００の分岐配管１０３の大口ガス取出し口１０９と迅速に結合できるカプラなどの接続具が取り付けられている。
【００２９】
分岐ユニット２００は、バルク貯槽ユニット１００の調整器１０５で煮炊き用のコンロ２０８、暖房ユニット５００、給湯ユニット３００などに使用される圧力に減圧された液化ガスを、バルク貯槽ユニット１００から離れた位置まで取り出し、それらの機器に供給する。
【００３０】
本実施の形態では、１基の分岐ユニット２００が設けられ、設置施設に保管されていて、必要なときに保管場所から取り出されて煮炊きが行なわれる場所に配置される。設置施設の規模、言い換えると災害時に避難してくると想定される人数に応じて、前記メインヘッダ１０３の大口ガス取出し口１０９の数、分岐ユニット２００の数を設定すればよい。これは、後述する給湯ユニット３００、暖房ユニット５００についても同様である。
【００３１】
発電・浄水ユニット４００は、図４、図５に示すように、発電機４０１と、バルク貯槽ユニット１００の液取入れ弁に付設された均圧弁１０２と発電機４０１を圧力調整手段である発電機用圧力調整器４０３を介して接続する発電機用ガス燃料ホース４０２と、この発電機用ガス燃料ホース４０２を巻き取る固定式ガスホース巻き取り器４０４と、発電機４０１の出力側に接続されたコンセント４０７と、浄水器４０８と、水源と浄水器４０８を接続する原水用ホース４０９と、この原水用ホース４０９を巻き取る固定式ホースリール４１０と、前記浄水器４０８に供給される原水を加圧する原水加圧手段である手動ポンプ４１１と、それらが搭載される移動式の架台４１３と、投光器４１４と、末端にコネクタを備え、投光器４１４その他に電力を供給する電線４０５、４１５を巻き込んだ移動式のコードリール４０６、４１６を含んで構成されている。架台には移動用の固定装置付き車輪（キャスター）４１７が設けられている。また、ユニット全体を樹脂製カバー４１８で覆うようにしてある。コードリール４０６、４１６は、前記コンセント４０７に電線４０５、４１５のコネクタを差し込んで受電し、コードリール本体に設けた差込口に各機器付属の電線のコネクタを差し込むことで、各機器に給電する。
【００３２】
発電機４０１は液化ガスを燃料とするエンジンで駆動され、１００Ｖの電力を発生する。このエンジンに液化ガスを供給する発電機用ガス燃料ホース４０２は、ガス放出防止型高圧ホースである。その一方の端部は前記固定式ガスホース巻き取り器４０４を介して発電機４０１に接続され、他方の端部は、発電機用圧力調整器４０３を介して均圧弁１０２に接続されるように構成されている。移動式のコードリール４１６には、前記コンセント４０７に差し込んで受電する電線４１５が巻き込まれており、発電機４０１で発電された電力を、投光器４１４、給湯ユニット３００に供給する。コードリール４０６に巻き込まれた電線４０５は、例えば後述するガス燃焼式トイレ７００、雨水貯溜タンク６００に電力を供給する。
【００３３】
浄水器４０８に原水を供給する原水用ホース４０９は、一方の端部が固定式ホースリール４１０を介して前記手動ポンプ４１１の吸入側に接続され、他方の端部は、後述する雨水貯留タンク６００の取出し口６０１に接続できるようになっている。前記手動ポンプ４１１の吐出側は、浄水器４０８の原水入り側に接続されている。
【００３４】
発電・浄水ユニット４００は、バルク貯槽１０１の気相部から均圧弁１０２を経て液化ガスを取り出し、発電機用圧力調整器４０３で発電機用に減圧し、この減圧された液化ガスを燃料としてエンジンを駆動し発電する。発生した電力は、コードリールに巻き込まれている電線を介して、投光器４１４、給湯ユニット３００、ガス燃焼式トイレ７００などに供給される。また、発電・浄水ユニット４００に搭載された、手動ポンプ４１１で駆動される浄水器４０８により、例えば雨水貯留タンク６００の雨水が浄化され、飲用水、あるいは煮炊き用に利用される。
【００３５】
給湯ユニット３００は、図５、図６に示すように、移動式の給湯器用架台３０１と、給湯器用架台３０１に取り付けられ液化ガスを熱源とする給湯器３０２と、一方の端部を、給湯器３０２のガスホース接続口に固定式ガスホース巻き取り器３０４を介して接続された給湯器用ガスホース３０３と、給湯器３０２の給水入り側に吐出側を接続して配置された給水加圧手段である電動の給湯加圧ポンプ３０５と、一方の端部を固定式ホースリール３０７を介して前記給湯加圧ポンプの吸入側に接続させ、前記固定式ホースリール３０７に巻き取られるようになっている水ホース３０６と、前記給湯器３０２の温水出側に接続された給湯蛇口３０９およびシャワーヘッド３０８と、外部電源が接続されるコネクタ３１０と、ユニット全体を覆うカバー３１１と、を含んで構成される。これら構成部品が搭載される給湯器用架台３０１には、移動用の車輪（キャスター）３１２が設けられている。
【００３６】
前記給湯器用ガスホース３０３の他方の端部には、バルク貯槽ユニット１００の分岐配管１０３の大口ガス取出し口１０９に接続されるカプラなどの接続具が装着され、迅速・確実に結合できるようになっている。また、前記水ホース３０６の他方の端部には、水道断水時に利用可能な水源、例えば後述する雨水貯留タンク６００の取出し口６０１に接続可能な接続具が設けられている。なお、水ホース３０６は、給湯加圧ポンプの吸入側に接続されるので、内部がポンプ吸込み圧で負圧になってもつぶれない強度のもの、例えば針金入りのものとしてある。前記カバー３１１は、給湯ユニット３００を囲ってシャワールームを形成する構成としてある。
【００３７】
この給湯ユニット３００によれば、設置施設に被災者や避難者が集まった場合、バルク貯槽１０１の液化ガスと利用可能な水源を利用して、速やかに温水を利用したシャワーや洗濯等が可能になる。
【００３８】
給湯加圧ポンプ３０５を可搬式にして、ポンプ吐出側と給湯器３０２の給水接続口を長尺のホースで接続するようにすれば、負圧に耐えるホースを短くすることができる。
【００３９】
暖房ユニット５００は、液化ガスを燃料とする可搬式、全周放射タイプの暖房器具であるガスストーブ５０１と、ガスストーブ５０１が載置された移動架台（図示せず）で構成されている。ガスホース巻き取り器２０７に巻き込まれている暖房機用ガスホース２０６の先端がガスストーブ５０１に接続され、分岐ユニット２００のヒューズガス栓２０３上流側の弁が開かれると、分岐ユニット２００の液化ガスをガスストーブ５０１に送ることができ、ガスストーブ５０１が使用可能になる。前記暖房機用ガスホース２０６の先端には、接続相手側に迅速に接続できるカプラなどの接続具が装着されている。
【００４０】
本実施の形態では、非常用の水源として、雨水貯留タンク６００が設置されている。この雨水貯留タンク６００は、設置施設の屋根の雨樋に流入した雨水を導いて貯蔵するもので、前記水ホース３０６、原水用ホース４０９を接続できる取出し口６０１が設けられている。また、後述するガス燃焼式トイレ７００に雨水を供給する配管６０２が設けられている。この配管には止め弁６０３が介装されており、災害時にはこの止め弁６０３を開くことで、ガス燃焼式トイレ７００に雨水を供給する。なお、この雨水貯留タンク６００から雨水を取り出す取出し口６０１あるいは配管６０２に送出す管路に加圧用のポンプ及び加圧タンクを設け、加圧した水を送出するようにしてもよい。この場合、加圧用のポンプの電源は、発電・浄水ユニット４００のコンセント４０７に接続される電線４０５を巻き込んだコードリール４０６から受電する。なお、コードリール４０６、４１６は防雨型コードリールとしてある。
【００４１】
また、設置施設のトイレが水道断水のために使用できなくなることを考慮して、前記ガス燃焼式トイレ７００が設置されている。ガス燃焼式トイレ７００に必要な照明、換気その他の電力は、前記発電・浄水ユニット４００のコンセント４０７に接続される電線４０５を巻き込んだコードリール４０６から受電する。ガス燃焼式トイレ７００の受電盤に付属する電線のコネクタをコードリール４０６の差込口（コンセント）に接続して受電する。ガス燃焼式トイレ７００には、バルク貯槽ユニット１００の配管接続口に接続された配管１１０に分岐して、弁を介装した配管（図示せず）が接続されており、排泄物焼却用の燃料として液化ガスが焼却用バーナに供給される。ガス燃焼式トイレ７００は、排泄物だけでなく、放置すると悪臭を発する生ごみ等の焼却にも利用でき、排泄物、生ごみ等の減容、悪臭の発生防止が可能になる。
【００４２】
上記各ユニットに設けられた固定式ヘッダガスホース巻き取り器、固定式ガスホース巻き取り器、固定式ホースリールに巻き込まれたホース類の根元側は、固定式ヘッダガスホース巻き取り器、固定式ガスホース巻き取り器、固定式ホースリールを介して、それらが装着されたユニットの機器に常時接続されており、先端側には、それぞれ定められた機器あるいは配管の接続部に迅速に接続できる接続具が装着されている。
【００４３】
公会堂又は集会所等の公共設備或いは民間企業の営業拠点、工場などは、災害時の避難場所として利用される可能性が高い。したがって、そのような場所に、液化ガスを動力源あるいは熱源として用いる冷暖房設備や炊事設備を設置し、それら設備に液化ガスを供給する液化ガスバルク貯槽を、本実施の形態に示すような災害対応型液化ガス供給システムの一部としておけば、緊急時に限って、緊急対応用の煮炊き用燃料、仮設用の風呂への給湯用燃料、照明用の発電機燃料、さらには焼却式トイレの燃料等として活用でき、少ないコストで、災害時の効率的な対応が可能になる。
【００４４】
分岐ユニット２００、給湯ユニット３００、および発電浄水ユニット４００は屋外に配置されることを考慮し、雨天時でも作業が容易なように、これらを収容する仮設テント８００が設けられている。仮設テント８００は、分岐ユニット２００、給湯ユニット３００、および発電・浄水ユニット４００等とともに、バルク貯槽１０１が設置される公民館、集会所等の、災害時に避難場所になる施設（設置施設）に保管しておけばよい。
【００４５】
本実施の形態によれば、災害時の避難場所に設置された液化ガスバルク貯槽に貯蔵された液化ガスを、緊急対応用の煮炊き用燃料、仮設用の風呂への給湯用燃料、照明用の発電機燃料、さらには焼却式トイレの燃料等として活用でき、少ないコストで、災害時の効率的な対応が可能になり、災害時に交通の渋滞による資材、設備の搬送の遅延の惧れもなく、避難者への燃料用ガス、給湯、電力供給等を速やかに行なうことが可能になる。
【００４６】
また、本実施の形態によれば、分岐ユニット２００、発電・浄水ユニット４００、給湯ユニット３００には、液化ガスや水を取入れるためのホースがそれぞれ付属する専用の固定式ホース巻き取り器あるいは固定式ホースリールに巻き込まれて常備され、付属する機器に液化ガスや電力を供給するホースあるいは電線も、それぞれ付属する専用の固定式ホース巻き取り器あるいは固定式ホースリールもしくはコードリールに巻き込まれて常備されている。そしてそれらホース類の一方の端部は常時、それらが配置されたユニット内の機器に接続されている。したがって、各ユニットや付属機器を使用する場合の、各ユニットや付属機器へ接続されるホースやコードの引き出し、接続、使用が終わったときのホース類の収納を、迅速に、混乱や誤りなく行うことができる。
【００４７】
また、分岐ユニット、発電・浄水ユニット、給湯ユニットには移動用の車輪（固定装置つきキャスター）が装着されているので、必要な場所への移動、設置が容易であり、全体を覆うカバーを設けてあるので、保管中の損傷、汚損の惧れが低減される。
【図面の簡単な説明】
【００４８】
【図１】本発明に係る災害対応型液化ガス供給システムの実施の形態の全体構成を示す配置図である。
【図２】図１に示す分岐ユニットの平面図である。
【図３】図２に示す分岐ユニットの正面図である。
【図４】図１に示す発電・浄水ユニットの平面図である。
【図５】図４に示す発電・浄水ユニットの正面図である。
【図６】図１に示す給湯ユニットの平面図である。
【図７】図６に示す給湯ユニットの正面図である。
【符号の説明】
【００４９】
１００  バルク貯槽ユニット
１０１  バルク貯槽
１０２  均圧弁
１０４  液化ガス取り出し管路
１０９  大口ガス取出し口
２００  分岐ユニット
２０４  ヘッダガスホース
２０５  固定式ヘッダガスホース巻き取り器
２０６  暖房器用ガスホース
２０７  ガスホース巻き取り器
２１０  固定式ガスホース巻き取り器
３００  給湯ユニット
３０１  給湯器用架台
３０２  給湯器
３０３  給湯器用ガスホース
３０４  固定式ガスホース巻き取り器
３０５  給湯加圧ポンプ
３０６  水ホース
３０７  固定式ホースリール
４００  発電・浄水ユニット
４０１  発電機
４０２  発電機用ガス燃料ホース
４０３  発電機用圧力調整器
４０４  固定式ガスホース巻き取り器
４０５  電線
４０６  コードリール
４０７  コンセント
４０８  浄水器
４０９  原水用ホース
４１０  固定式ホースリール
４１１  手動ポンプ
５００  暖房ユニット
５０１  ガスストーブ
６００  雨水貯留タンク
７００  ガス燃焼式トイレ
【図１】
2007078121.tif 000003
【図２】
2007078121.tif 000004
【図３】
2007078121.tif 000005
【図４】
2007078121.tif 000006
【図５】
2007078121.tif 000007
【図６】
2007078121.tif 000008
【図７】
2007078121.tif 000009